(57)【要約】【課題】映像信号出力装置との接続時に自動的に選択的に切り替えられるデジタル用とアナログ用のＥＤＩＤデータのメモリをそれぞれ有する映像表示装置において、簡単な構成により、大幅なコストの上昇なく、ＡＤ変換チップのキャリブレーションデータの確実な保持を実現する。【解決手段】映像表示装置であるプロジェクタ１は、アナログ信号用のＥＤＩＤデータ５を保存するＥＤＩＤメモリ１１と、デジタル信号用のＥＤＩＤデータ７を保存するＥＤＩＤメモリ１２と、アナログ映像信号をデジタル信号に変換して表示用の映像データを生成するＡＤ変換部１３と、デジタル映像信号から表示用の映像データを生成する画像処理部１４と、生成された映像データを表示する映像表示部１５とを備え、ＡＤ変換部１３において用いるＡＤ変換キャリブレーション用のデータ６を、ＥＤＩＤメモリ１１，１２における互いのアドレスが等しい領域に保存している。【選択図】図１
2008275981.tif 000002
【特許請求の範囲】
【請求項１】
ＥＤＩＤデータに基づくデジタル映像信号またはアナログ映像信号を外部の映像信号出力装置から接続ケーブルを介して受信すると共にその映像信号に基づく映像を表示する映像表示装置において、
デジタル信号用のＥＤＩＤデータを保存するデジタル用ＥＤＩＤメモリと、
アナログ信号用のＥＤＩＤデータを保存するアナログ用ＥＤＩＤメモリと、
映像信号出力装置から受信したアナログ映像信号をデジタル信号に変換して表示用の映像データを生成するＡＤ変換部と、
映像信号出力装置から受信したデジタル映像信号から表示用の映像データを生成する画像処理部と、
前記ＡＤ変換部または前記画像処理部によって生成された映像データを表示する映像表示部と、を備え、
前記ＡＤ変換部における映像信号のＡＤ変換の際に用いるＡＤ変換キャリブレーション用のデータを、前記デジタル用ＥＤＩＤメモリと前記アナログ用ＥＤＩＤメモリの両方に保存していることを特徴とする映像表示装置。
【請求項２】
前記デジタル用ＥＤＩＤメモリと前記アナログ用ＥＤＩＤメモリとに保存された前記ＡＤ変換キャリブレーション用のデータが互いに同等のデータであり、その保存された領域のアドレスが互いに等しいことを特徴とする請求項１に記載の映像表示装置。
【請求項３】
前記映像表示部は、光源と、前記ＡＤ変換部または画像処理部によって生成された映像データおよび前記光源から入射される光に基づいて投影用の映像を生成するＤＭＤ（デジタル・マイクロミラー・デバイス）と、投影レンズと、を備え、
前記ＤＭＤにより生成された映像を前記投影レンズによってスクリーンに投影して表示することを特徴とする請求項１または請求項２に記載の映像表示装置。
【発明の詳細な説明】
【技術分野】
【０００１】
本発明は、ＥＤＩＤ情報を用いてデジタル映像信号とアナログ映像信号の両方に対応して映像を表示する映像表示装置に関する。
【背景技術】
【０００２】
近年、画像や映像を表示する映像表示装置として、デジタル化とマルチメディアに対応した高画質のフラットディスプレイやスクリーンに拡大投影するプロジェクタなどの普及が進んでいる。このような映像表示装置は、図４に示すように、コンピュータ２１、ＳＴＢ（セットトップボックス）２３、ＤＶＤプレーヤ２２、ビデオプレーヤなどの装置を映像信号出力源としている。映像表示装置９とこれらの映像信号出力装置とは、専用の接続コードと通信仕様のもとで互いに接続して用いられる。映像表示装置９は、自己の属性情報をＥＤＩＤ（Ｅｘｔｅｎｄｅｄ  Ｄｉｓｐｌａｙ  Ｉｄｅｎｔｉｆｉｃａｔｉｏｎ  Ｄａｔａ）と呼ばれる規格化されたデータとして保有している。このＥＤＩＤデータが映像信号出力装置との間でやり取りされることにより、表示の最適化が行われる。
【０００３】
上述の映像表示装置が、例えばコンピュータに接続されて映像を表示する場合、コンピュータは、ＤＤＣ（Ｄｉｓｐｌａｙ  Ｄａｔａ  Ｃｈａｎｎｅｌ）通信機能を用いたプラグアンドディスプレイ（または、プラグアンドプレイ）を実行する。プラグアンドディスプレイ機能は、コンピュータに映像表示装置が接続されたとき、コンピュータが映像表示装置の仕様情報を読み取り、その仕様情報に応じて適切なドライバソフトウェアを選択すると共に、適切な表示が行えるように自動的にコンピュータ内部の設定を行う機能である。仕様情報は上述のＥＤＩＤデータによって与えられる。
【０００４】
上述のようなＥＤＩＤデータに関わる技術として、以下のようなものがある。ＥＤＩＤデータは、例えば、水平画面サイズ、垂直画面サイズ、白色温度のＸ座標値、白色温度のＹ座標値などであり、これらはユーザによる映像表示装置の操作により変更されることがある。そこで、ＥＤＩＤデータが変更された場合に、映像信号出力装置側においてその変更を適切に把握することを意図したディスプレイ装置並びに同装置を含むコンピュータシステムが知られている（例えば、特許文献１参照）。
【０００５】
また、映像表示装置は、デジタル映像信号とアナログ映像信号の両方に対応して映像表示可能とされる。ＥＤＩＤデータは、デジタル映像信号用とアナログ映像信号用とでは内容が異なったものとなる。そこで、映像表示装置は、デジタル用のＥＤＩＤとアナログ用のＥＤＩＤの２種類のデータを保有する。これらのＥＤＩＤデータは、映像表示装置と映像信号出力装置とが接続ケーブルによって接続されたときに、その映像信号の属性、つまりデジタルかアナログかによって自動的に切り替えられる。
【０００６】
上述のＥＤＩＤ切り替えは、例えば、インターフェイス（接続ケーブル）の違いに基づいて行われる。映像表示装置は、デジタル用とアナログ用にそれぞれ対応した２個のＥＤＩＤ格納メモリと、メモリ切り替え替用のマルチプレクサとを備えている。マルチプレクサは、映像信号出力装置から接続ケーブルを介して送られる信号群のうち特定の直流電源ラインの電圧値に応じて前記ＥＤＩＤ格納メモリのいずれかに選択的に接続を切り換える（例えば、特許文献２参照）。
【０００７】
また、ＤＤＣ通信機能を用いたプラグアンドディスプレイ機能の実現には、ＥＤＩＤデータをＤＤＣ対応不揮発性メモリに格納する必要がある。これは、映像表示装置を接続された映像信号出力装置が、映像表示装置の電源がＯＦＦの場合でもＥＤＩＤデータを取得可能とするためである。また、映像表示装置に多種類の映像信号出力装置が交互に接続される場合、各種類に応じたＥＤＩＤが保有される。ところが、ＤＤＣ対応不揮発性メモリは一般的な不揮発性メモリよりも高価なことから、ＤＤＣ対応不揮発性メモリを１個だけとして、映像信号出力装置側から入力する映像信号の種類に応じたＥＤＩＤデータを、そのメモリにダイナミックに書き込むようにして低コスト化を図る映像表示装置が知られている（例えば、特許文献３参照）。
【０００８】
上述のように、ＥＤＩＤデータを保有する映像表示装置は、映像信号出力装置の種類や、出力信号の種類（デジタルかアナログか）に対応して、適切な表示を行える。ところで、映像表示装置がアナログ映像信号を受信する場合に、映像表示装置は、例えば、ＡＤ変換チップを用いてアナログ映像信号をデジタル映像信号に変換（ＡＤ変換）する。この場合、ＡＤ変換チップのキャリブレーションデータを保持しておく必要がある。キャリブレーションデータは比較的サイズが小さいので、アナログ映像信号用のＥＤＩＤデータを格納しているメモリの空き領域に保存可能である。
【０００９】
そこで、図５（ａ）に示すように、アナログ映像信号用のＥＤＩＤメモリ９１には、アドレスａ０−ａ１間にアナログ用のＥＤＩＤデータ５が保存され、アドレスａ１−ａ２間にＡＤキャリブレーション用データ６を保存される。また、図５（ｂ）に示すように、デジタル映像信号用のＥＤＩＤメモリ９２には、アドレスｂ０−ｂ１間にアナログ用のＥＤＩＤデータ７を保存される。このように、ＡＤキャリブレーション用のデータ６を、ＥＤＩＤデータと共に保存することにより、別途にメモリを設けることなく低コスト化を図ることができる。
【特許文献１】特開２０００−１９４３４６号公報
【特許文献２】特開２００１−１７５２３０号公報
【特許文献３】特開２００４−１０２０６７号公報
【発明の開示】
【発明が解決しようとする課題】
【００１０】
しかしながら、上述したような、ＡＤ変換チップのキャリブレーションデータをアナログ映像信号用のＥＤＩＤデータと共に同じメモリに保存する映像表示装置においては、次のような問題がある。すなわち、映像表示装置にデジタル映像信号を出力する映像信号出力装置が接続された場合、映像表示装置は、電源がＯＮされるとメモリチェックを行うため自動的にデジタル信号用のＥＤＩＤデータの読み取りを開始する。ところが、その読み取りの最中に、何らかの事情で、デジタル信号用のＥＤＩＤデータが、アナログ信号用のＥＤＩＤデータに切り替わった場合、映像表示装置はＥＤＩＤデータの不整合性を発見し、当該メモリの内容を予め別途保存しているデフォルトのデジタル信号用のＥＤＩＤデータで書き換えてしまう。
【００１１】
すると、アナログ信号用のＥＤＩＤデータのメモリに、デジタル信号用のＥＤＩＤデータが上書きされることになり、ＡＤ変換チップのキャリブレーションデータが消えてしまう。これは、図５（ａ）（ｂ）に示すように、アドレスｂ１が、アドレスａ２よりも大きい（ａ２＜ｂ１）ことによる。このキャリブレーションデータは、映像表示装置の生産段階で工場において設定されて保存されたものであり、これを復旧するには、映像表示装置を工場に送り戻す必要がある。
【００１２】
本発明は、上記課題を解消するものであって、簡単な構成により、映像信号出力装置との接続時に自動的に選択的に切り替えられるデジタル用とアナログ用のＥＤＩＤデータのメモリをそれぞれ有し、大幅なコストの上昇なく、ＡＤ変換チップのキャリブレーションデータの確実な保持を実現できる映像表示装置を提供することを目的とする。
【課題を解決するための手段】
【００１３】
上記課題を達成するために、請求項１の発明は、ＥＤＩＤデータに基づくデジタル映像信号またはアナログ映像信号を外部の映像信号出力装置から接続ケーブルを介して受信すると共にその映像信号に基づく映像を表示する映像表示装置において、デジタル信号用のＥＤＩＤデータを保存するデジタル用ＥＤＩＤメモリと、アナログ信号用のＥＤＩＤデータを保存するアナログ用ＥＤＩＤメモリと、映像信号出力装置から受信したアナログ映像信号をデジタル信号に変換して表示用の映像データを生成するＡＤ変換部と、映像信号出力装置から受信したデジタル映像信号から表示用の映像データを生成する画像処理部と、前記ＡＤ変換部または前記画像処理部によって生成された映像データを表示する映像表示部とを備え、前記ＡＤ変換部における映像信号のＡＤ変換の際に用いるＡＤ変換キャリブレーション用のデータを、前記デジタル用ＥＤＩＤメモリと前記アナログ用ＥＤＩＤメモリの両方に保存しているものである。
【００１４】
請求項２の発明は、請求項１に記載の映像表示装置において、前記デジタル用ＥＤＩＤメモリと前記アナログ用ＥＤＩＤメモリとに保存された前記ＡＤ変換キャリブレーション用のデータが互いに同等のデータであり、その保存された領域のアドレスが互いに等しいものである。
【００１５】
請求項３の発明は、請求項１または請求項２に記載の映像表示装置において、前記映像表示部は、光源と、前記ＡＤ変換部または画像処理部によって生成された映像データおよび前記光源から入射される光に基づいて投影用の映像を生成するＤＭＤ（デジタル・マイクロミラー・デバイス）と、投影レンズと、を備え、前記ＤＭＤにより生成された映像を前記投影レンズによってスクリーンに投影して表示するものである。
【発明の効果】
【００１６】
請求項１の発明によれば、ＡＤ変換キャリブレーション用のデータを、デジタル用ＥＤＩＤメモリとアナログ用ＥＤＩＤメモリの両方に保存しているので、いずれか一方のキャリブレーション用のデータが上書きされて消されても、他方のデータによって復活することができる。ＡＤ変換キャリブレーション用のデータは、比較的サイズが小さく（例えば１キロバイト以下）、既存のＥＤＩＤメモリの空き領域に保存できるので、コストを上昇させることなく、ＡＤ変換に用いるキャリブレーションデータの確実な保持を実現できる。
【００１７】
請求項２の発明によれば、両方のＥＤＩＤメモリについて共通の空き領域にＡＤ変換キャリブレーション用のデータを保存するので、映像表示装置の制御プログラムの動作を、この領域については上書きしないように制限することができ、これにより、ＡＤ変換に用いるキャリブレーションデータの確実な保持を実現できる。
【００１８】
請求項３の発明によれば、アナログ映像信号に基づく映像表示に際して、ＡＤ変換に用いるキャリブレーションデータの消失による表示不可能という事態が発生しない、信頼性の高い映像表示装置としてのプロジェクタを実現できる。
【発明を実施するための最良の形態】
【００１９】
以下、本発明の一実施形態に係る映像表示装置について、図面を参照して説明する。図１は映像表示装置のブロック構成を示す。図中、太実線は、主な電気信号の流れを示し、白抜き矢印は、光路を示す。本実施形態の映像表示装置１は、ＤＭＤ（デジタル・マイクロミラー・デバイス）を用いたプロジェクタであり、以下においてプロジェクタ１と称する。プロジェクタ１は、ＥＤＩＤデータに基づくデジタル映像信号またはアナログ映像信号を外部の映像信号出力装置２から接続ケーブル３を介して受信し、その映像信号に基づく映像をスクリーン上に投影表示する。
【００２０】
プロジェクタ１は、アナログ信号用のＥＤＩＤデータ５を保存するアナログ用ＥＤＩＤメモリ１１と、デジタル信号用のＥＤＩＤデータ７を保存するデジタル用ＥＤＩＤメモリ１２と、映像信号出力装置２から受信したアナログ映像信号をデジタル信号に変換して表示用の映像データを生成するＡＤ変換部１３と、映像信号出力装置２から受信したデジタル映像信号から表示用の映像データを生成する画像処理部１４と、ＡＤ変換部１３または画像処理部１４によって生成された映像データを表示する映像表示部１５とを備えている。
【００２１】
また、プロジェクタ１は、上述のＥＤＩＤメモリ１１，１２、ＡＤ変換部１３、画像処理部１４、および映像表示部１５などを制御すると共に、メモリのチェックや信号処理を行う中央制御部（ＣＰＵ）１０を備えている。プロジェクタ１は、ユーザがプロジェクタ１を操作するための操作部１０ａを有し、操作部１０ａから入力された操作信号は中央制御部１０によって処理される。
【００２２】
さらに、プロジェクタ１は、接続ケーブル３が接続されるコネクタ（レセプタクル）３１と、各ＥＤＩＤメモリ１１，１２との間にあって、ＥＤＩＤメモリ１１，１２のいずれか１つを選択的に切り替える切替部４を備えている。切替部４によって選択されたＥＤＩＤメモリが、コネクタ３１と接続ケーブル３とを介して、映像信号出力装置２によって読み取られることになる。切替部４は、いわゆるプラグアンドディスプレイに対応する機能を有する。
【００２３】
上述のＥＤＩＤメモリ１１，１２は、ＡＤ変換部１３における映像信号のＡＤ変換の際に用いるＡＤ変換キャリブレーション用のデータ６を、ＥＤＩＤデータ５，７と共に保存している。これについては、後に詳述する。
【００２４】
映像表示部１５は、光源１７と、投影用の映像を生成するＤＭＤ（デジタル・マイクロミラー・デバイス）１８と、投影レンズ１９と、ＤＭＤ１８を制御するＤＭＤ制御部１６と、を備えている。
【００２５】
ＤＭＤ制御部１６は、ＡＤ変換部１３または画像処理部１４によって生成された映像データに基づいてＤＭＤ１８を制御して、光源１７からＤＭＤ１８に入射される光の反射方向を制御することにより、投影用の映像を生成する。
【００２６】
投影レンズ１９は、ＤＭＤ１８によって生成された、その各マイクロミラーを画素とする映像、すなわち各マイクロミラーからの反射光を拡大し、スクリーンに投影して表示する。
【００２７】
次に、プロジェクタ１の動作を説明する。プロジェクタ１に、接続ケーブル３を介して映像信号出力装置２が接続されると、切替部４は、映像信号出力装置２から送られてくる電圧信号に基づいてＥＤＩＤメモリ１１，１２のいずれか１つを選択的に切り替える。図１は、アナログ信号用のＥＤＩＤメモリ１２が選択接続されている様子を示している。すなわち、図１の例は、映像信号出力装置２が、アナログ映像信号を出力する装置の場合を示している。
【００２８】
このようなＥＤＩＤメモリの選択的切替は、プロジェクタ１の電源が投入されていない状態でも、映像信号出力装置２からの作用によって行われる。映像信号出力装置２は、これにより、信号出力のために必要なＥＤＩＤデータをプロジェクタ１から取得することができる。
【００２９】
プロジェクタ１に電源が投入されると、中央制御部１０は、コネクタ３１のＥＤＩＤメモり切り替え用の信号線から信号電圧を読み取って、いずれのＥＤＩＤメモリが選択されているかを調べて、選択されているＥＤＩＤメモリのメモリチェックを行う。これは、プロジェクタ１の自己診断であり、電源投入時に行うように設定されている。このメモリチェックについては、図３を参照して、後述する。
【００３０】
上述の自己診断、ユーザによる操作部１０ａを介して行うプロジェクタ１の所定の操作、および映像信号出力装置２の所定の操作などが完了すると、プロジェクタ１が映像表示を開始する。今の場合、映像信号出力装置２からプロジェクタ１に、アナログ映像信号が入力されるので、中央制御部１０は、ＡＤ変換部１３を介して、アナログ映像信号をデジタル映像信号に変換する。
【００３１】
ＡＤ変換部は、ＡＤ変換用の専用ＩＣチップを備えており、そのＡＤ変換用のチップのキャリブレーション用のデータ６が、上述したようにＥＤＩＤメモり１１，１２に保存されている。ＡＤキャリブレーションデータ６は、大量生産される個々のＡＤ変換チップの特性を補正するためのものであり、各プロジェクタ１毎に異なるデータとなっている。中央制御部１０は、ＥＤＩＤメモリ１１から、このＡＤキャリブレーションデータ６を読み取って、ＡＤ変換部１３に送り、ＡＤ変換部１３は、これに基づいてＡＤ変換を行う。
【００３２】
ＡＤ変換部１３によって、デジタル映像信号とされた信号は、中央制御部１０によって映像表示部１５に送られ、映像表示部１５によって投影表示される。
【００３３】
次に、図１と異なって、映像信号出力装置２がデジタル映像信号を出力する場合を説明する。この場合、切替部４は、プロジェクタ１に映像信号出力装置２が接続されると、デジタル信号用のＥＤＩＤメモリ１１を選択して接続ケーブル３に接続する。また、プロジェクタ１は、電源投入時に、上述同様に自己診断を行う。
【００３４】
プロジェクタ１が映像表示を開始すると、映像信号出力装置２からプロジェクタ１に、デジタル映像信号が入力される。デジタル映像信号は、画像処理部１４を経て、中央制御部１０によって映像表示部１５に送られ、映像表示部１５によって投影表示される。
【００３５】
次に、図２（ａ）（ｂ）を参照して、プロジェクタ１におけるＥＤＩＤメモリ１１，１２のＥＤＩＤデータ５，７とＡＤキャリブレーションデータ６を説明する。アナログ映像信号用のＥＤＩＤメモリ１１には、アドレスａ０−ａ１間にアナログ用のＥＤＩＤデータ５が保存され、アドレスａ３−ａ４間にＡＤキャリブレーション用データ６が保存されている。
【００３６】
また、デジタル映像信号用のＥＤＩＤメモリ１２には、アドレスｂ０−ｂ１間にアナログ用のＥＤＩＤデータ７が保存され、アドレスｂ１−ｂ２間にＡＤキャリブレーション用データ６が保存されている。アナログ用ＥＤＩＤメモリ１１とデジタル用ＥＤＩＤメモリ１２とに保存されたＡＤ変換キャリブレーション用のデータ６は、互いに同等のデータであり、その保存された領域のアドレスが互いに等しくされている。すなわち、各アドレス値について、ａ３＝ｂ１、ａ４＝ｂ２、従って、ａ４−ａ３＝ｂ２＝ｂ１、である。
【００３７】
なお、ＡＤキャリブレーションデータ６は、アナログ映像信号の各ＲＧＢ信号をデジタル化するのに必要であり、このデータが消失すると映像を表示できなくなる。この点、ＥＤＩＤデータについては、映像表示できないという深刻な問題が発生することはない。
【００３８】
上述のように、ＡＤ変換キャリブレーション用のデータ６を、デジタル用ＥＤＩＤメモリ１１とアナログ用ＥＤＩＤメモリ１２の両方に保存しているので、いずれか一方のキャリブレーション用のデータが上書きされて消されても、他方のデータによって復活することができる。ＡＤ変換キャリブレーション用のデータは、比較的サイズが小さく（例えば１キロバイト以下）、既存のＥＤＩＤメモリの空き領域に保存できるので、コストを上昇させることなく、ＡＤ変換に用いるキャリブレーションデータの確実な保持を実現できる。
【００３９】
さらに、両方のＥＤＩＤメモリ１１，１２について、共通の空き領域にＡＤ変換キャリブレーション用のデータ６を保存するので、プロジェクタ１の制御プログラムの動作を、この領域については上書きしないように制限することにより、ＡＤ変換に用いるキャリブレーションデータ６の上書きによる消失を防止でき、キャリブレーションデータ６の確実な保持を実現できる。
【００４０】
次に、図３を参照して、プロジェクタ１の中央制御部１０が行う自己診断のうち、ＥＤＩＤメモリのメモリチェックについて説明する。プロジェクタ１は、電源投入時に、装置状態の把握のためＥＤＩＤメモリ１１，１２のメモリチェックを行う。このメモリチェックは、プロジェクタ１が電源投入された時点において、映像信号出力装置２に接続されているＥＤＩＤメモリについて行われる。
【００４１】
そこで、中央制御部１０は、まず、どちらのメモリが選択されているかを確認する（Ｓ１）。この確認は、上述したように、コネクタ３１のＥＤＩＤメモり切り替え用の信号線から信号電圧を読み取ることにより行われる。
【００４２】
次に、中央制御部１０は、選択されているＥＤＩＤメモリの読込を行う（Ｓ２）。中央制御部１０は、所定のアドレス、すなわちアドレスａ１またはアドレスｂ１まで読み込んだ後、再度、上述の選択メモリの確認、すなわちステップＳ１と同様の確認を行い、メモリ読み込み開始時のメモリと現在選択されているメモリとが同じかどうかを確認する（Ｓ３）。これは、ステップＳ２におけるメモリの読込中に、接続ケーブル３が抜き差しされることによるＥＤＩＤメモリの選択状体の変化を想定した確認動作である。
【００４３】
ステップＳ３において、現在選択されているメモリが読み込み開始時のメモリと異なっている場合（Ｓ３でＮｏ）、再度ステップＳ１から処理が繰り返えされる。
【００４４】
また、ステップＳ３において、現在選択されているメモリが読み込み開始時のメモリと同じである場合（Ｓ３でＹｅｓ）、ＥＤＩＤデータが正常かどうかを確認する（Ｓ４）。この確認は、ヘッダ部分やデータ中の固定値（デフォルト値）部分の比較で行われる。
【００４５】
ＥＤＩＤデータが正常でない場合（Ｓ４でＮｏ）、現在対象としているＥＤＩＤデータを、予め保存してあるデフォルト値によって上書きする（Ｓ５）。この後、処理はステップＳ６に進む。同様に、ＥＤＩＤデータが正常な場合（Ｓ４でＹｅｓ）、処理はステップＳ６に進む。
【００４６】
次に、中央制御部１０は、ＡＤキャリブレーションデータ６を読み込んで、そのデータが正常かどうかを確認する（Ｓ６）。ＡＤキャリブレーションデータ６は、図２（ａ）（ｂ）に示すように、両方のＥＤＩＤメモリ１１，１２に共通のアドレスに保存されいるので、ＥＤＩＤメモリ１１，１２の選択状態に関わらず、それぞれのメモリから読み込まれる。正常かどうかの確認は、ヘッダ部分やデータ中の固定値（デフォルト値）部分の比較、および取り得る値の範囲との比較などによって行われる。
【００４７】
ＡＤキャリブレーションデータ６が正常でない場合（Ｓ６でＮｏ）、ＡＤキャリブレーションデータ６部分にそのデフォルト値を上書きする（Ｓ７）。通常、このようなデータ異常（Ｓ６でＮｏ）は発生しない。もし発生するとすれば、メモリチップが部分的に破損したりする場合である。異常の発生が判明した場合は、無駄なデータは上書きで消してしまう。その後、プロジェクタ１を工場に回送するなどの処置が行われることになる。
【００４８】
そこで、通常、ＡＤキャリブレーションデータ６が正常との判断の後（Ｓ６でＹｅｓ）、自己診断としてのメモリチェックが終了する。
【００４９】
なお、上述のステップＳ７において、デフォルト値によって上書きする替わりに、現在選択していないＥＤＩＤメモリからＡＤキャリブレーションデータ６を読み込んで、そのデータが正常である場合、そのデータで上書きするようにしてもよい。
【００５０】
ここで、ステップＳ２におけるデータ読込中の接続ケーブルの抜き差しについて補足説明する。データ読込中に、例えば、複数回のメモリ選択切替が発生して、最終的にステップＳ３において、現在選択されているメモリが読み込み開始時のメモリと同じである（Ｓ３でＹｅｓ）という事態が起こり得る。例えば、ユーザが接続ケーブル３のコネクタ３１を操作することにより接触不安定な状態が発生して短時間に電気接点の開閉が起こった場合、信号電圧の変化によって複数回のメモリ切替が発生するので、このような事態が発生する。
【００５１】
このような場合に、ＥＤＩＤメモリ内のＥＤＩＤデータ６，７やＡＤキャリブレーションデータ６が正常であるにも関わらず、デフォルト値で上書きされる事態が発生する。そこで、従来の図５（ａ）（ｂ）に示したメモリ構造において、ＡＤキャリブレーションデータ６の消失という問題が発生していた。
【００５２】
本願発明のプロジェクタ１における図２（ａ）（ｂ）に示したＥＤＩＤのメモリ構造では、上述したように、ＡＤキャリブレーションデータ６が、いずれのＥＤＩＤデータ５，７のメモリ領域とも重なっていないので、ＥＤＩＤデータの上書きによって消失することはない。
【００５３】
また、従来のメモリ構造では、ＡＤキャリブレーション用のデータ６のつもりで、ＥＤＩＤデータ７を読み込むことにより、上述のステップＳ６において、ＡＤキャリブレーション用のデータ６が正常でないとして（Ｓ６でＮｏ）、ＡＤキャリブレーション用のデータ６をそのデフォルト値で上書きしてしまう可能性がある。これに対し、本願発明におけるＥＤＩＤのメモリ構造では、ＡＤキャリブレーションデータ６と誤認して、ＥＤＩＤデータを読み込み、間違った判断をするという事態は、発生しない。
【００５４】
ＡＤキャリブレーション用のデータ６を、ＥＤＩＤメモリ１１，１２に保存することについてさらに補足説明する。プロジェクタ１において、ＡＤ変換部１３とＥＤＩＤメモリ１１，１２とは、同じ回路基板上に配置されている。従って、ＡＤキャリブレーション用のデータ６を必要とするＡＤ変換部１３が配置された基板にＡＤキャリブレーション用のデータ６が保存されるので、プロジェクタ１の修理に際して、基板交換を行う場合に、ＡＤ変換部１３とＡＤキャリブレーション用のデータ６とを常に一体として扱うことができるという効果がある。
【００５５】
なお、本発明は、上記構成に限られることなく種々の変形が可能である。例えば、映像信号出力装置２として、図４に示したように、コンピュータ２１、ＳＴＢ（セットトップボックス）２３、ＤＶＤプレーヤ２２、ビデオプレーヤなどの装置を接続できる。また、上記において、ＥＤＩＤ用のメモリ１１，１２は、切替部４による選択切替可能なメモリで有ればよい。例えば、ＤＤＣ機能対応のＥＥＰＲＯＭを用いることができる。
【００５６】
また、映像表示装置１は、上記ではプロジェクタ１について説明したが、ＥＤＩＤデータを用いて、アナログ映像信号とデジタル映像信号とに対応して映像表示する装置であればよく、液晶ディスプレイやプラズマディスプレイなどのフラットディスプレイとすることができる。この場合、図１における映像表示部１５が、それぞれ液晶表示板やプラズマ表示板とによって構成される。
【００５７】
また、接続ケーブル３は、例えば、ＤＶＩ−Ｉケーブルや、Ｍ１−ＤＡケーブルを用いることができる。
【図面の簡単な説明】
【００５８】
【図１】本発明の一実施形態に係る映像表示装置のブロック構成図。
【図２】（ａ）は同上表示装置におけるアナログ映像信号用のＥＤＩＤデータのメモリ内配置図、（ｂ）は同デジタル映像信号用のＥＤＩＤデータのメモリ内配置図。
【図３】同上映像表示装置が行うＥＤＩＤメモリのメモリチェックの処理フロー図。
【図４】一般的な映像表示装置および映像表示装置に接続される映像信号出力装置の例の斜視図。
【図５】（ａ）は従来の映像表示装置におけるアナログ映像信号用のＥＤＩＤデータのメモリ内配置図、（ｂ）は同デジタル映像信号用のＥＤＩＤデータのメモリ内配置図。
【符号の説明】
【００５９】
１    プロジェクタ（映像表示装置）
２    映像信号出力装置
５    ＥＤＩＤデータ（アナログ用）
６    ＡＤキャリブレーションデータ
７    ＥＤＩＤデータ（デジタル用）
１１    ＥＤＩＤ用メモリ（デジタル用）
１２    ＥＤＩＤ用メモリ（アナログ用）
１３    ＡＤ変換部
１４    画像処理部
１５    映像表示部
１７    光源
１８    ＤＭＤ
１９    投影レンズ
【図１】
2008275981.tif 000003
【図２】
2008275981.tif 000004
【図３】
2008275981.tif 000005
【図４】
2008275981.tif 000006
【図５】
2008275981.tif 000007